(57)【要約】      （修正有）【課題】使い勝手の良いプラグを提供する。【解決手段】軸方向を有するプラグピン２と、プラグピン２の基端部に設けられ、配線コードの端部が接続される略円筒状のキャップ材４および接続部５ｂと、接続部５ｂとプラグピン２との間に設けられ、プラグピン２を配線コードに対して回転可能とさせる回転部５ａと、キャップ材４にプラグピン２を取り付けた状態で、プラグピン２側から挿入してキャップ材４に取り付け可能な略円筒状の飾りスリーブ６とを有する。回転部５ａは、プラグピン２に電気的に接続された第１電極部５ｆと、配線コードの端部に電気的に接続される第２電極部５ｎとを有する。第１電極部５ｆと第２電極部５ｎとは、回転部５ａの回転中心に等しい回転中心にて回転可能に電気的に接続されている。【選択図】図１
0003188261.tif 000002
【実用新案登録請求の範囲】
【請求項１】
オーディオ機器に接続されるプラグであって、
軸方向を有するプラグ端子と、
このプラグ端子の基端部に設けられ、配線コードの端部が接続される接続部と、
この接続部と前記プラグ端子との間に設けられ、前記プラグ端子を前記配線コードに対して回転可能とさせる回転部と、を有し、
この回転部は、前記プラグ端子に電気的に接続された第１電極部と、前記配線コードの端部に電気的に接続される第２電極部とを有し、これら第１電極部と第２電極部とは、前記回転部の回転中心に等しい回転中心にて回転可能に電気的に接続されている
ことを特徴とするプラグ。
【請求項２】
請求項１記載のプラグにおいて、
前記回転部は、前記プラグ端子の軸方向を前記配線コードの軸方向に対し略９０°屈曲可能とさせる
ことを特徴とするプラグ。
【請求項３】
請求項１または２記載のプラグにおいて、
前記回転部の第１電極部と第２電極部とは、前記回転部の回転中心に等しい回転中心を有するピン材にて回転可能に連結されている
ことを特徴とするプラグ。
【請求項４】
請求項１または２記載のプラグにおいて、
前記回転部の第１電極部は、前記プラグ端子の回転方向に沿った円弧状の摺動部とされ、
前記回転部の第２電極部は、前記摺動部に対し摺動可能に接触させて取り付けられ、
前記回転部は、前記第２電極部を前記摺動部に向けて付勢する付勢部を備えた
ことを特徴とするプラグ。
【請求項５】
オーディオ機器に接続されるプラグであって、
プラグ端子と、
このプラグ端子の基端部にねじ止めされ、配線コードの端部が接続される略円筒状の接続部と、
この接続部に前記プラグ端子を取り付けた状態で、このプラグ端子側から挿入して前記接続部に取り付け可能な略円筒状のカバー部材と、
を有することを特徴とするプラグ。
【請求項６】
請求項５記載のプラグにおいて、
前記接続部は、この接続部の外周部に設けられた外周ねじ溝を備え、
前記カバー部材は、このカバー部材の内周部に設けられ前記接続部の外周ねじ溝に螺合可能な内周ねじ溝を備えた
ことを特徴とするプラグ。
【請求項７】
請求項５または６記載のプラグにおいて、
前記接続部は、少なくとも前記プラグ端子側の部分が円筒状に形成された円筒部を備え、
前記カバー部材は、前記接続部の円筒部の外径寸法に等しい内径寸法を有する円筒状に形成されている
ことを特徴とするプラグ。
【請求項８】
請求項５ないし７いずれか１項に記載のプラグにおいて、
前記接続部は、前記円筒部の基端側に設けられ前記カバー部材の外径寸法に略等しい円筒状の大径部を備えている
ことを特徴とするプラグ。
【考案の詳細な説明】
【技術分野】
【０００１】
本考案は、例えばエレキギター等のオーディオ機器に接続されるプラグに関する。
【背景技術】
【０００２】
従来、この種のプラグとしては、例えば下記特許文献１に記載の構成のプラグが知られている。このプラグは、プラグ端子（プラグピン）の中心線と配線コードの接続方向とのなす角度が略１３５°として一体成型部にて回動可能に取り付けられている。
【０００３】
また、この種のプラグとしては、例えば下記特許文献２に記載の構成のプラグ付シールドケーブルも知られている。このプラグ付シールドケーブルは、プラグ端子（コンタクト）の先端側を、先端側のハウジングに挿通させて係止させた状態で、この先端側のハウジングの基端部に、基端側のハウジングがねじ止めされて固定されている。
【先行技術文献】
【特許文献】
【０００４】
【特許文献１】特開２００３−３８０７６４号公報
【特許文献２】特開２００５−３２２５２５号公報
【考案の概要】
【考案が解決しようとする課題】
【０００５】
しかしながら、上記特許文献１にかかる従来技術によれば、プラグ端子（プラグピン）と配線コードとが一体成型部にて回動可能とされていることから、一体成型部が大型化してしまい、配線コードに対しプラグ端子を直線状にした場合に、一体成型部の膨らみが邪魔になる等し、使い勝手が良くない。
【０００６】
また、上記特許文献２に係る従来技術によれば、先端側のハウジングを基端側のハウジングから取り外した場合に、プラグ端子の基端側に取り付けられている接続部が露出してしまい、例えば、種々のデザインが外周面に付されたハウジングに取り換える等することについては考慮されておらず、使い勝手が良くないという問題を有している。
【０００７】
そこで本考案は、従来技術における上記問題を解決し、使い勝手の良いプラグを提供することを目的とする。
【課題を解決するための手段】
【０００８】
この課題を解決するため、請求項１にかかる本考案は、オーディオ機器に接続されるプラグであって、軸方向を有するプラグ端子と、このプラグ端子の基端部に設けられ、配線コードの端部が接続される接続部と、この接続部と前記プラグ端子との間に設けられ、前記プラグ端子を前記配線コードに対して回転可能とさせる回転部と、を有し、この回転部は、前記プラグ端子に電気的に接続された第１電極部と、前記配線コードの端部に電気的に接続される第２電極部とを有し、これら第１電極部と第２電極部とは、前記回転部の回転中心に等しい回転中心にて回転可能に電気的に接続されていることを特徴とするプラグである。
【０００９】
そして、このように構成したことにより、プラグ端子に電気的に接続された第１電極部と、配線コードの端部の端部に電気的に接続される第２電極部とが、回転部の回転中心に等しい回転中心にて回転可能に電気的に接続されている。このため、第１電極部と第２電極部との電気的な接続を維持しつつ回転部の回転中心にて配線コードに対するプラグ端子の向きを適宜変更することができるから、このプラグ端子を接続するオーディオ機器の位置や形状に合わせてプラグ端子の向きを変更できるため、利用者の使い勝手を向上することができる。
【００１０】
請求項２は、前記回転部は、前記プラグ端子の軸方向を前記配線コードの軸方向に対し略９０°屈曲可能とさせることを特徴とするプラグである。
【００１１】
そして、このように構成したことにより、回転部によって、プラグ端子の軸方向を配線コードの軸方向に対し略９０°屈曲可能とされる。このため、プラグ端子を接続するオーディオ機器の位置や形状に対応させて、配線ケーブルに対するプラグ端子の向き変更することにより、ほとんどの需要に対応することができるから、利用者の使い勝手をより向上することができる。
【００１２】
請求項３は、前記回転部の第１電極部と第２電極部とは、前記回転部の回転中心に等しい回転中心を有するピン材にて回転可能に連結されていることを特徴とするプラグである。
【００１３】
そして、このように構成したことにより、第１電極部と第２電極部とが、回転部の回転中心に等しい回転中心を有するピン材にて回転可能に取り付けられている。このため、プラグ端子を配線コードに対して回転させると、ピン材を回転中心として第１電極部と第２電極部との電気的な接続を維持させつつ、プラグ端子を回転させることができる。
【００１４】
請求項４は、前記回転部の第１電極部は、前記プラグ端子の回転方向に沿った円弧状の摺動部とされ、前記回転部の第２電極部は、前記摺動部に対し摺動可能に接触させて取り付けられ、前記回転部は、前記第２電極部を前記摺動部に向けて付勢する付勢部を備えたことを特徴とするプラグである。
【００１５】
そして、このように構成したことにより、回転部の摺動部に対し第２電極部が付勢部にて付勢されているため、プラグ端子を配線コードに対して回転させると、回転部の摺動部に第２電極部を接触させた状態が維持されるため、これら摺動部と第２電極部との電気的な接続を維持させつつ、プラグ端子を回転させることができる。
【００１６】
また、請求項５にかかる本考案は、オーディオ機器に接続されるプラグであって、プラグ端子と、このプラグ端子の基端部にねじ止めされ、配線コードの端部が接続される略円筒状の接続部と、この接続部に前記プラグ端子を取り付けた状態で、このプラグ端子側から挿入して前記接続部に取り付け可能な略円筒状のカバー部材と、を有することを特徴とするプラグである。
【００１７】
そして、このように構成したことにより、配線コードの端部が接続される略円筒状の接続部にプラグ端子をねじ止めした状態で、このプラグ端子側からカバー部材を挿入させて接続部に取り付け可能とされている。このため、カバー部材を接続部から取り外しても、接続部がプラグ端子にねじ止めされており、カバー部材の取り外しが容易にできる。したがって、種々のデザインがされた複数のカバー部材を予め用意しておくことにより、利用者の希望に沿ったデザインのカバー部材に交換することができるから、利用者の使い勝手を向上させることができる。
【００１８】
請求項６は、前記接続部は、この接続部の外周部に設けられた外周ねじ溝を備え、前記カバー部材は、このカバー部材の内周部に設けられ前記接続部の外周ねじ溝に螺合可能な内周ねじ溝を備えたことを特徴とするプラグである。
【００１９】
そして、このように構成したことにより、カバー部材を接続部に挿入させつつ、カバー部材の内周ねじ溝を接続部の外周ねじ溝に係合させてねじ止めすることにより、このカバー部材を接続部に取り付けることができ、このカバー部材の内周ねじ溝による接続部の外周ねじ溝へのねじ止めを解除することにより、カバー部材を接続部から取り外すことができる。よって、この接続部に対するカバー部材の交換が容易にでき、利用者の使い勝手をより向上させることができる。
【００２０】
請求項７は、前記接続部は、少なくとも前記プラグ端子側の部分が円筒状に形成された円筒部を備え、前記カバー部材は、前記接続部の円筒部の外径寸法に等しい内径寸法を有する円筒状に形成されていることを特徴とするプラグである。
【００２１】
そして、このように構成したことにより、接続部のプラグ端子側の部分の円筒部にカバー部材を嵌合させて取り付けることができ、接続部の円筒部をカバー部材にて覆うことができる。よって、カバー部材にて接続部のプラグ端子側を覆うことにより、接続部の審美性を向上することができるから、利用者の使い勝手を向上させることができる。
【００２２】
請求項８は、前記接続部は、前記円筒部の基端側に設けられ前記カバー部材の外径寸法に略等しい円筒状の大径部を備えていることを特徴とするプラグである。
【００２３】
そして、このように構成したことにより、接続部の経大部よりプラグ端子側の円筒部をカバー部材にて覆うことができる。したがって、カバー部材の取り付け位置が明確になり、接続部の経大部の形状を考慮したデザインとすることにより、接続部の審美性をより向上でき、利用者の使い勝手を向上させることができる。
【考案の効果】
【００２４】
本考案によれば、プラグ端子に電気的に接続された第１電極部と、配線コードの端部の端部に電気的に接続される第２電極部とが、回転部の回転中心に等しい回転中心にて回転可能に電気的に接続されている。このため、第１電極部と第２電極部との電気的な接続を維持しつつ回転部の回転中心にて配線コードに対するプラグ端子の向きを適宜変更することができる。よって、プラグ端子を接続するオーディオ機器の位置や形状に合わせてプラグ端子の向きを変更できるため、利用者の使い勝手を向上することができる。
【００２５】
また、接続部にプラグ端子をねじ止めした状態で、プラグ端子側からカバー部材を挿入させて接続部に取り付け可能とされている。このため、カバー部材を接続部から取り外しても、接続部がプラグ端子にねじ止めされており、カバー部材の取り外しが容易にできる。したがって、種々のデザインがされた複数のカバー部材を予め用意しておくことにより、利用者の希望に沿ったデザインのカバー部材に交換することができるから、利用者の使い勝手を向上させることができる。そして、前述した以外の課題、構成および効果は、以下の実施形態の説明より明らかにされる。
【図面の簡単な説明】
【００２６】
【図１】本考案の第１実施形態に係るプラグを示す図で、（ａ）は正面図、（ｂ）はその内部構造を示す概略図、（ｃ）はその回動状態を示す概略図、（ｄ）はその左側面図である。
【図２】上記プラグの内部構造を示す図で、（ａ）は接続部およびカバー部材の取り付け前の状態図、（ｂ）は接続部を取り付けた後の状態図、（ｃ）はカバー部材を取り付けた後の状態図である。
【図３】本考案の第２実施形態に係るプラグの内部構造を示す図で、（ａ）は概略図、（ｃ）はその回動状態を示す概略図、（ｄ）はその左側面図である。
【考案を実施するための形態】
【００２７】
［第１実施形態］
本考案の第１実施形態のプラグについて図１および図２を参照して説明する。図１は、本考案の第１実施形態に係るプラグを示す図で、（ａ）は正面図、（ｂ）はその内部構造を示す概略図、（ｃ）はその回動状態を示す概略図、（ｄ）はその左側面図である。図２は、プラグの内部構造を示す図で、（ａ）は接続部およびカバー部材の取り付け前の状態図、（ｂ）は接続部を取り付けた後の状態図、（ｃ）はカバー部材を取り付けた後の状態図である。
【００２８】
＜構成＞
本第１実施形態に係るプラグ１は、例えばエレキギターやアンプ等のオーディオ機器に接続されるもので、図１（ａ）に示すように、軸方向を有するプラグ端子としてのプラグピン２と、このプラグピン２の基端部に設けられ、配線コード３の端部が挿通される挿通部としての接続部であるキャップ材４と、このキャップ材４とプラグピン２との間に設けられたプラグ本体５と、キャップ材４にプラグピン２を取り付けた状態で、このプラグピン２側から挿入してキャップ材４に取り付け可能な略円筒状のカバー部材としての飾りスリーブ６とを備えた回転プラグである。
【００２９】
プラグピン２は、略細長円筒形状の接続端子であって、オーディオ機器等に設けられたソケット（図示せず）に挿入されることによって、オーディオ機器と電気的に接続され、オーディオ機器から出力された電気信号が入力され、または配線コード３側から入力された電気信号をオーディオ機器へ出力する。プラグピン２には、音声信号を伝送するために、２つの端子２ａ，２ｂが設けられている。
【００３０】
配線コード３は、２本の同軸ケーブル３ａ，３ｂが内包されたケーブルであり、一方の同軸ケーブル３ａの一端部がプラグ本体５に半田付けされプラグピン２に電気的に接続されている。配線コード３の他端部にもまた、プラグ１が取り付けられている。
【００３１】
キャップ材４は、略円筒状に形成されたキャップ本体４ａを備え、このキャップ本体４ａのプラグ本体５に接続される側である先端側の内周面に内ねじ４ｂが形成されている。また、キャップ本体４ａの基端側の中央部には、配線コード３を挿通させるための開口部４ｃが形成され、このキャップ本体４ａの基端側の外周部は、先端側より経大な円筒状の大径部４ｄが形成されている。この大径部４ｄより先端側であるプラグピン２側の部分が、この大径部４ｄの外径寸法より小さな外径寸法を有する円筒状の円筒部である縮径部４ｅとされ、この縮径部４ｅの大径部４ｄよりの位置の外周面に外周ねじ溝としての外ねじ４ｆが形成されている。
【００３２】
プラグ本体５は、プラグピン２をキャップ材４および配線コード３に対し回転可能とさせる回転部５ａと、プラグピン２を配線コード３に電気的に接続させる接続部５ｂとで構成されている。回転部５ａは、プラグピン２の軸方向を配線コード３の軸方向に対し略９０°屈曲可能とさせる。また、回転部５ａは、プラグピン２の基端部に接続されたプラグ側回転部５ｃと、キャップ材４に接続されるキャップ側回転部５ｄとで構成されている。プラグ側回転部５ｃは、プラグピン２の基端部に一体的に設けられた部分であって、両側面が平行かつ平坦な摺動面５ｅとされている。この摺動面５ｅ間には、プラグピン２の一方の端子２ａに電気的に接続された第１電極部５ｆが設けられている。
【００３３】
第１電極部５ｆは、図１（ｂ）ないし図１（ｄ）に示すように、キャップ側回転部５ｄに接続するための平板円環状の回転接続部５ｇと、この回転接続部５ｇに一端側が一体的に接続された支持部５ｈとで構成されている。回転接続部５ｇは、この回転接続部５ｇの軸方向（厚さ方向）を、摺動面５ｅの法線方向に沿わせた状態とされて、これら摺動面５ｅ間に取り付けられている。また、支持部５ｈは、他端側がプラグピン２の一方の端子２ａに電気的に接続されている。
【００３４】
次いで、キャップ側回転部５ｄは、本体部５ｊの両側に対向する一対の支持片５ｋが取り付けられた略コの字状に形成され、これら一対の支持片５ｋ間にプラグ側回転部５ｃの摺動面５ｅが嵌合されて取り付けられ、これら一対の支持片５ｋに取り付けられたピン材５ｍにて回転可能に固定されている。本体部５ｊの中央部には、一対の支持片５ｋ間に突出する第２電極部５ｎが設けられている。
【００３５】
第２電極部５ｎは、第１電極部５ｆに対しプラグピン２の回転方向に回転可能に取り付けられ、第１電極部５ｆの回転接続部５ｇに接続するための平板円環状の回転接続部５ｐと、この回転接続部５ｐに一端側が一体的に接続された支持部５ｑとで構成されている。回転接続部５ｐは、この回転接続部５ｐの軸方向（厚さ方向）を、支持片５ｋの法線方向に沿わせた状態とされて、これら支持片５ｋ間に取り付けられ、ピン材としての連結ピン５ｗを介して第１電極部５ｆに電気的かつ機械的に接続されている。連結ピン５ｗは、一対の支持片５ｋに取り付けられたピン材５ｍの回転中心に等しい回転中心を有し、プラグピン２に対するプラグ本体５の回転方向の同軸上に第１電極部５ｆと第２電極部５ｎとを回転可能とさせる。すなわち、第１電極部５ｆと第２電極部５ｎとは、プラグピン２に対するプラグ本体５の回転中心に等しい回転中心にて回転可能に電気的に接続されている。また、支持部５ｑは、絶縁性を有する円筒状のスリーブ材５ｒの中心部に挿通されて取り付けられ、このスリーブ材５ｒが本体部５ｊの中心部に嵌合されて取り付けられている。
【００３６】
また、接続部５ｂは、第２電極部５ｎに加え、キャップ側回転部５ｄの本体部５ｊの基端側に位置し、外周面にねじ溝５ｓが形成された係合部５ｔを備えている。ねじ溝５ｓは、キャップ材４の内ねじ４ｂにねじ止め可能に形成されている。すなわち、係合部５ｔは、キャップ材４の縮径部４ｅの内径寸法に等しい外径寸法に形成され、キャップ材４の先端側に挿入可能とされている。また、キャップ側回転部５ｄの本体部５ｊとスリーブ材５ｒとの間には、配線ケーブル３をかしめ固定して位置決めしつつ一方の同軸ケーブル３ａに電気的に接続させるための第１接続部５ｕが取り付けられている。第１接続部５ｕは、プラグ本体５を介してプラグピン２の一方の端子２ｂに電気的に接続されている。また、支持部５ｑの他端部には、配線ケーブル３の他方の同軸ケーブル３ｂが半田付けされて電気的に接続される第２接続部５ｖが一体的に設けられている。第２接続部５ｖは、支持部５ｑ、第２電極部５ｎ、連結ピン５ｗ、第１電極部５ｆ等を介してプラグピン２の他方の端子２ａに電気的に接続されている。
【００３７】
飾りスリーブ６は、キャップ材４の縮径部４ｅの外径寸法に等しい内径寸法を有するとともに、キャップ材４の経大部４ｄの外径寸法に略等しい外径寸法を有する略円筒状のスリーブ本体６ａを有している。スリーブ本体６ａは、キャップ材４の縮径部４ｅの長さ寸法に等しい長さ寸法に形成されている。スリーブ本体６ａの基端側の内周面には、キャップ材４の外ねじ４ｆにねじ止め固定させるための内周ねじ溝としての内ねじ６ｂが形成されている。スリープ本体６ａの外周面は、種々のデザインを付すことができるよう平坦な円筒面とされ表装部６ｃとされている。
【００３８】
＜調整動作＞
次に、上記第１実施形態のプラグ１の調整動作について、図１を参照して、より詳細に説明する。
【００３９】
まず、配線コード３の一端側に取り付けられたプラグ１のプラグピン２を、例えばアンプ等の所定の接続口（図示せず）に差し込んで電気的に接続してから、この配線コード３の他端側に取り付けられたプラグ１のプラグピン２を、例えばエレキギター等の所定の接続口（図示せず）に差し込んで電気的に接続させる。
【００４０】
このとき、図１（ａ）および図１（ｂ）に示す状態から、図１（ｃ）および図１（ｄ）に示すように、プラグ１のプラグピン２をプラグ本体５に対して回転させて屈曲させる場合には、例えば、このプラグ１の飾りスリーブ６等を押え、この飾りスリーブ６に対してプラグピン２を回転させる。
【００４１】
この場合には、プラグ本体５とプラグピン２とを固定しているピン材５ｍを回転中心として、プラグピン２がプラグ本体５に対して回転されて屈曲され、プラグピン２の端子２ａに電気的に接続されている第１電極部５ｆが、プラグ本体５の第２接続部５ｖに電気的に接続されている第２電極部５ｎに対し、電気的に接続された状態を維持しつつ摺動されて、プラグピン２が回動される。
【００４２】
したがって、プラグ１のプラグピン２のプラグ本体５に対する回転角（屈曲角）を調整することができる。すなわち、回転部５ａを用いて配線コード３に対するプラグピン２の向きを適宜変更できるから、このプラグピン２を接続するオーディオ機器の位置や形状に合わせてプラグピン２の向きを変更することができる。よって、利用者の使用用途等に対応させて調整でき、利用者の使い勝手を向上することができる。特に、プラグピン２の軸方向を配線コード３の軸方向に対して略９０°屈曲可能とさせたことにより、プラグピン２を接続するオーディオ機器の位置や形状に対応させて、配線ケーブル３に対するプラグピン２の向き変更することにより、ほとんどの需要に対応することができる。
【００４３】
＜組立動作＞
次に、上記第１実施形態のプラグ１の組立動作について、図２を参照して、より詳細に説明する。
【００４４】
まず、図２（ａ）に示すように、キャップ材４の大径部４ｄ側から、配線コード３の一端側を挿入し、この配線コード３の一端部を、プラグ本体５の第１接続部５ｕにて挟んでかしめ固定する。そして、この配線コード３の一方の同軸ケーブル３ａの端部を、プラグ本体５の第１接続部５ｕの中間部に半田付けして電気的かつ機械的に接続させる。また同時に、この配線コード３の他方の同軸ケーブル３ｂの端部を、プラグ本体５の第２接続部５ｖの端部に半田付けして電気的かつ機械的に接続させる。
【００４５】
この状態で、キャップ材４をプラグ本体５側に移動していき、図２（ｂ）に示すように、このキャップ材４の内ねじ４ｂを、プラグ本体５のねじ溝５ｓにねじ止めさせて固定させる。
【００４６】
次いで、飾りスリーブ６の内ねじ６ｂが設けられている側である基端側から、プラグピン２の先端側を挿入して、プラグピン２およびプラグ本体５を挿通させ、図２（ｃ）に示すように、飾りスリーブ６をキャップ材４に嵌合させ、この飾りスリーブ６の内ねじ６ｂをキャップ材４の外ねじ４ｆにねじ止めさせる。この結果、キャップ材４の縮径部４ｅの全体が飾りスリーブ６にて覆われる。
【００４７】
さらに、飾りスリーブ６を回転させて、この飾りスリーブ６の内ねじ６ｂによるキャップ材４の外ねじ４ｓへのねじ止めを外すことにより、図２（ｂ）に示すように、飾りスリーブ６をプラグピン２側へスライドさせて容易に取り外すことができる。
【００４８】
この結果、プラグ本体５に配線ケーブル３の端部を接続し、この配線ケーブル３の端部をキャップ材４にて覆いプラグ本体５にねじ止めさせた状態のまま、飾りスリーブ６の取り付けおよび取り外しを容易に行うことができる。よって、飾りスリーブ６をキャップ材４から取り外しても、キャップ材４がプラグ本体５に取り付けられ、このプラグ本体５に対する配線ケーブル３の電気的な接続箇所が露出しない。したがって、種々の異なるデザインおよび色彩が表装部６ｃに施された複数の飾りスリーブ６を予め用意しておくことにより、分解等することなく、利用者の希望に沿ったデザイン等の表装部６ｃを有する飾りスリーブ６に容易に交換することができるから、利用者の使い勝手を向上させることができる。
【００４９】
また、飾りスリーブ６をキャップ材４に取り付けることにより、このキャップ材４の縮径部４ｅに飾りスリーブ６を嵌合させて取り付けることができ、この縮径部４ｅの全体を飾りスリーブ６にて覆うことができるから、飾りスリーブ６をキャップ材４の縮径部４ｅに取り付けることにより、このキャップ材４の審美性を向上でき、利用者の使い勝手を向上できる。
【００５０】
さらに、飾りスリーブ６は、キャップ材４の大径部４ｄより先端側の縮径部４ｅのみに取り付けられるため、このキャップ材４の大径部４ｄを押えつつ飾りスリーブ６の取り付けおよび取り外しができるとともに、飾りスリーブ６の取り付け位置が明確になり、飾りスリーブ６の表装部６ｃのデザインを、キャップ材４の大径部４ｄの形状およびデザインを考慮したデザインとすることにより、キャップ材４の審美性をより向上でき、利用者の使い勝手を向上させることができる。
【００５１】
［第２実施形態］
図３は、本考案の第２実施形態に係るプラグの内部構造を示す図で、（ａ）は概略図、（ｃ）はその回動状態を示す概略図、（ｄ）はその左側面図である。本第２実施形態が前述した第１実施形態と異なるのは、第１実施形態は、第１電極部５ｆに対して第２電極部５ｎを回転させて電気的接続を維持したプラグ１に対し、第２実施形態は、第１電極部５ｆに対して第２電極部５ｎを摺動させて電気的接続を維持したスワン式のプラグ１Ａである。なお、本第２実施形態において、第１実施形態と同一又は対応する部分には同一符号を付している。
【００５２】
＜構成＞
本第２実施形態に係るプラグ１Ａは、プラグ側回転部５ｃと第１電極部５ｆとの間に、絶縁性の保持部材７が取り付けられて固定され、第１電極部５ｆが保持されている。第１電極部５ｆは、上述した第１実施形態より大きな厚さ寸法を有する構成とされており、第１電極部５ｆの円弧状の外周面が摺動部としての付勢摺動面８とされている。
【００５３】
一方、キャップ側回転部５ｄは、第２電極部５ｎがピン状とされており、この第２電極部５ｎの先端部を、第１電極部５ｆの付勢摺動面８に接触させた状態とされて取り付けられている。第２電極部５ｎの基端側には、導電性を有するコイル状の付勢部としての弾性部材９ａが同心状に取り付けられ、弾性部材９ａが有する弾性力にて第２電極部５ｎの先端部が第１電極部５ｆの付勢摺動面８に付勢された状態とされている。
【００５４】
弾性部材９ａは、スリーブ材５ｒ内に収容され、スリーブ材５ｒの基端側には、導電性を有するキャップ体９ｂが取り付けられて封止されている。キャップ体９ｂとスリーブ材５ｒとの間に第１接続部５ｕが取り付けられ、スリーブ材５ｒと係合部５ｔとの間に第２接続部５ｖが取り付けられている。
【００５５】
よって、第１接続部５ｕは、キャップ体９ｂ、弾性部材９ａ、第２電極部５ｎおよび第１電極部５ｆを介してプラグピン２の端子２ａに電気的に接続されている。また、第２接続部５ｖは、係合部５ｔ、本体部５ｊ、支持片５ｋおよび摺動面５ｅを介してプラグピン２の端子２ｂに電気的に接続されている。
【００５６】
＜調整動作＞
次に、上記第２実施形態のプラグ１Ａの調整動作について、図３を参照して、より詳細に説明する。
【００５７】
図３（ａ）に示す状態から、図３（ｂ）および図１（ｃ）に示すように、プラグピン２をプラグ本体５に対して回転させ屈曲させる場合には、上述した第１実施形態と同様に、ピン材５ｍを回転中心として、プラグピン２がプラグ本体５に対して回転されて屈曲される。
【００５８】
このとき、第１電極部５ｆの付勢摺動面８に対して第２電極部５ｎが弾性部材９ａにて付勢されているため、配線コード３に対するプラグピン２の回転に伴い、プラグピン２の端子２ａに電気的に接続されている第１電極部５ｆの付勢摺動面８に沿って、第２電極部５ｎの先端部が摺動していき、これら第１電極部５ｆと第２電極部５ｎとの電気的な接続が維持されつつ、プラグピン２が回転される。
【００５９】
よって、プラグピン２のプラグ本体５に対する回転角を、利用者の使用用途等に対応させて調整することができる。
【００６０】
＜組立動作＞
また、上述した第１実施形態と同様に、配線ケーブル３の端部をキャップ材４にて覆いプラグ本体５にねじ止めした状態のまま、飾りスリーブ６の交換ができるため、分解等することなく、利用者の好みに応じた表装部６ｃを有する飾りスリーブ６に容易に交換することができる。
【００６１】
［その他］
なお、本考案は前述した実施形態に限定されるものではなく、様々な変形態様が含まれる。例えば、前述した実施形態は、本考案を分りやすく説明するために説明したものであり、本考案は、必ずしも説明した全ての構成を備えるものに限定されるものではない。
【符号の説明】
【００６２】
１，１Ａ  プラグ
２      プラグピン（プラグ端子）
２ａ，２ｂ  端子
３      配線コード
３ａ，３ｂ  同軸ケーブル
４      キャップ材（接続部）
４ａ    キャップ本体
４ｂ    内ねじ
４ｃ    開口部
４ｄ    大径部
４ｅ    縮径部（円筒部）
４ｆ    外ねじ（外周ねじ溝）
５      プラグ本体
５ａ    回転部
５ｂ    接続部
５ｃ    プラグ側回転部
５ｄ    キャップ側回転部
５ｅ    摺動面
５ｆ    第１電極部
５ｇ    回転接続部
５ｈ    支持部
５ｊ    本体部
５ｋ    支持片
５ｍ    ピン材
５ｎ    第２電極部（電極部）
５ｐ    回転接続部
５ｑ    支持部
５ｒ    スリーブ材
５ｓ    ねじ溝
５ｔ    係合部
５ｕ    第１接続部
５ｖ    第２接続部
５ｗ    連結ピン（ピン材）
６      飾りスリーブ（カバー部材）
６ａ    スリーブ本体
６ｂ    内ねじ（内周ねじ溝）
６ｃ    表装部
７      保持部材
８      付勢摺動面（第１電極部，摺動部）
９ａ    弾性部材（付勢部）
９ｂ    キャップ体
【図１】
0003188261.tif 000003
【図２】
0003188261.tif 000004
【図３】
0003188261.tif 000005
【手続補正書】
【提出日】平成25年11月5日(2013.11.5)
【手続補正１】
【補正対象書類名】実用新案登録請求の範囲
【補正対象項目名】全文
【補正方法】変更
【補正の内容】
【実用新案登録請求の範囲】
【請求項１】
オーディオ機器に接続されるプラグであって、
軸方向を有するプラグ端子と、
このプラグ端子の基端部に設けられ、配線コードの端部が接続される接続部と、
この接続部と前記プラグ端子との間に設けられ、前記プラグ端子を前記配線コードに対して回転可能とさせる回転部と、を有し、
この回転部は、前記プラグ端子に電気的に接続された第１電極部と、前記配線コードの端部に電気的に接続される第２電極部とを有し、これら第１電極部と第２電極部とは、前記回転部の回転中心に等しい回転中心にて回転可能に電気的に接続されている
ことを特徴とするプラグ。
【請求項２】
請求項１記載のプラグにおいて、
前記回転部は、前記プラグ端子の軸方向を前記配線コードの軸方向に対し略９０°屈曲可能とさせる
ことを特徴とするプラグ。
【請求項３】
請求項１または２記載のプラグにおいて、
前記回転部の第１電極部と第２電極部とは、前記回転部の回転中心に等しい回転中心を有するピン材にて回転可能に連結されている
ことを特徴とするプラグ。
【請求項４】
請求項１または２記載のプラグにおいて、
前記回転部の第１電極部は、前記プラグ端子の回転方向に沿った円弧状の摺動部とされ、
前記回転部の第２電極部は、前記摺動部に対し摺動可能に接触させて取り付けられ、
前記回転部は、前記第２電極部を前記摺動部に向けて付勢する付勢部を備えた
ことを特徴とするプラグ。
【請求項５】
請求項１ないし４いずれか１項に記載のプラグにおいて、
前記接続部は、前記プラグ端子の基端部にねじ止めされた略円筒状とされ、
この接続部に前記プラグ端子を取り付けた状態で、このプラグ端子側から挿入して前記接続部に取り付け可能な略円筒状のカバー部材を有する
ことを特徴とするプラグ。
【請求項６】
請求項５記載のプラグにおいて、
前記接続部は、この接続部の外周部に設けられた外周ねじ溝を備え、
前記カバー部材は、このカバー部材の内周部に設けられ前記接続部の外周ねじ溝に螺合可能な内周ねじ溝を備えた
ことを特徴とするプラグ。
【請求項７】
請求項５または６記載のプラグにおいて、
前記接続部は、少なくとも前記プラグ端子側の部分が円筒状に形成された円筒部を備え、
前記カバー部材は、前記接続部の円筒部の外径寸法に等しい内径寸法を有する円筒状に形成されている
ことを特徴とするプラグ。
【請求項８】
請求項５ないし７いずれか１項に記載のプラグにおいて、
前記接続部は、前記円筒部の基端側に設けられ前記カバー部材の外径寸法に略等しい円筒状の大径部を備えている
ことを特徴とするプラグ。
【手続補正２】
【補正対象書類名】明細書
【補正対象項目名】全文
【補正方法】変更
【補正の内容】
【考案の詳細な説明】
【技術分野】
【０００１】
本考案は、例えばエレキギター等のオーディオ機器に接続されるプラグに関する。
【背景技術】
【０００２】
従来、この種のプラグとしては、例えば下記特許文献１に記載の構成のプラグが知られている。このプラグは、プラグ端子（プラグピン）の中心線と配線コードの接続方向とのなす角度が略１３５°として一体成型部にて回動可能に取り付けられている。
【先行技術文献】
【特許文献】
【０００３】
【特許文献１】特開２００３−３８０７６４号公報
【考案の概要】
【考案が解決しようとする課題】
【０００４】
しかしながら、上記特許文献１にかかる従来技術によれば、プラグ端子（プラグピン）と配線コードとが一体成型部にて回動可能とされていることから、一体成型部が大型化してしまい、配線コードに対しプラグ端子を直線状にした場合に、一体成型部の膨らみが邪魔になる等し、使い勝手が良くない。
【０００５】
そこで本考案は、従来技術における上記問題を解決し、使い勝手の良いプラグを提供することを目的とする。
【課題を解決するための手段】
【０００６】
この課題を解決するため、請求項１にかかる本考案は、オーディオ機器に接続されるプラグであって、軸方向を有するプラグ端子と、このプラグ端子の基端部に設けられ、配線コードの端部が接続される接続部と、この接続部と前記プラグ端子との間に設けられ、前記プラグ端子を前記配線コードに対して回転可能とさせる回転部と、を有し、この回転部は、前記プラグ端子に電気的に接続された第１電極部と、前記配線コードの端部に電気的に接続される第２電極部とを有し、これら第１電極部と第２電極部とは、前記回転部の回転中心に等しい回転中心にて回転可能に電気的に接続されていることを特徴とするプラグである。
【０００７】
そして、このように構成したことにより、プラグ端子に電気的に接続された第１電極部と、配線コードの端部の端部に電気的に接続される第２電極部とが、回転部の回転中心に等しい回転中心にて回転可能に電気的に接続されている。このため、第１電極部と第２電極部との電気的な接続を維持しつつ回転部の回転中心にて配線コードに対するプラグ端子の向きを適宜変更することができるから、このプラグ端子を接続するオーディオ機器の位置や形状に合わせてプラグ端子の向きを変更できるため、利用者の使い勝手を向上することができる。
【０００８】
請求項２は、前記回転部は、前記プラグ端子の軸方向を前記配線コードの軸方向に対し略９０°屈曲可能とさせることを特徴とするプラグである。
【０００９】
そして、このように構成したことにより、回転部によって、プラグ端子の軸方向を配線コードの軸方向に対し略９０°屈曲可能とされる。このため、プラグ端子を接続するオーディオ機器の位置や形状に対応させて、配線ケーブルに対するプラグ端子の向き変更することにより、ほとんどの需要に対応することができるから、利用者の使い勝手をより向上することができる。
【００１０】
請求項３は、前記回転部の第１電極部と第２電極部とは、前記回転部の回転中心に等しい回転中心を有するピン材にて回転可能に連結されていることを特徴とするプラグである。
【００１１】
そして、このように構成したことにより、第１電極部と第２電極部とが、回転部の回転中心に等しい回転中心を有するピン材にて回転可能に取り付けられている。このため、プラグ端子を配線コードに対して回転させると、ピン材を回転中心として第１電極部と第２電極部との電気的な接続を維持させつつ、プラグ端子を回転させることができる。
【００１２】
請求項４は、前記回転部の第１電極部は、前記プラグ端子の回転方向に沿った円弧状の摺動部とされ、前記回転部の第２電極部は、前記摺動部に対し摺動可能に接触させて取り付けられ、前記回転部は、前記第２電極部を前記摺動部に向けて付勢する付勢部を備えたことを特徴とするプラグである。
【００１３】
そして、このように構成したことにより、回転部の摺動部に対し第２電極部が付勢部にて付勢されているため、プラグ端子を配線コードに対して回転させると、回転部の摺動部に第２電極部を接触させた状態が維持されるため、これら摺動部と第２電極部との電気的な接続を維持させつつ、プラグ端子を回転させることができる。
【００１４】
請求項５は、前記接続部は、前記プラグ端子の基端部にねじ止めされた略円筒状とされ、この接続部に前記プラグ端子を取り付けた状態で、このプラグ端子側から挿入して前記接続部に取り付け可能な略円筒状のカバー部材を有することを特徴とするプラグである。
【００１５】
そして、このように構成したことにより、配線コードの端部が接続される略円筒状の接続部にプラグ端子をねじ止めした状態で、このプラグ端子側からカバー部材を挿入させて接続部に取り付け可能とされている。このため、カバー部材を接続部から取り外しても、接続部がプラグ端子にねじ止めされており、カバー部材の取り外しが容易にできる。したがって、種々のデザインがされた複数のカバー部材を予め用意しておくことにより、利用者の希望に沿ったデザインのカバー部材に交換することができるから、利用者の使い勝手を向上させることができる。
【００１６】
請求項６は、前記接続部は、この接続部の外周部に設けられた外周ねじ溝を備え、前記カバー部材は、このカバー部材の内周部に設けられ前記接続部の外周ねじ溝に螺合可能な内周ねじ溝を備えたことを特徴とするプラグである。
【００１７】
そして、このように構成したことにより、カバー部材を接続部に挿入させつつ、カバー部材の内周ねじ溝を接続部の外周ねじ溝に係合させてねじ止めすることにより、このカバー部材を接続部に取り付けることができ、このカバー部材の内周ねじ溝による接続部の外周ねじ溝へのねじ止めを解除することにより、カバー部材を接続部から取り外すことができる。よって、この接続部に対するカバー部材の交換が容易にでき、利用者の使い勝手をより向上させることができる。
【００１８】
請求項７は、前記接続部は、少なくとも前記プラグ端子側の部分が円筒状に形成された円筒部を備え、前記カバー部材は、前記接続部の円筒部の外径寸法に等しい内径寸法を有する円筒状に形成されていることを特徴とするプラグである。
【００１９】
そして、このように構成したことにより、接続部のプラグ端子側の部分の円筒部にカバー部材を嵌合させて取り付けることができ、接続部の円筒部をカバー部材にて覆うことができる。よって、カバー部材にて接続部のプラグ端子側を覆うことにより、接続部の審美性を向上することができるから、利用者の使い勝手を向上させることができる。
【００２０】
請求項８は、前記接続部は、前記円筒部の基端側に設けられ前記カバー部材の外径寸法に略等しい円筒状の大径部を備えていることを特徴とするプラグである。
【００２１】
そして、このように構成したことにより、接続部の経大部よりプラグ端子側の円筒部をカバー部材にて覆うことができる。したがって、カバー部材の取り付け位置が明確になり、接続部の経大部の形状を考慮したデザインとすることにより、接続部の審美性をより向上でき、利用者の使い勝手を向上させることができる。
【考案の効果】
【００２２】
本考案によれば、プラグ端子に電気的に接続された第１電極部と、配線コードの端部の端部に電気的に接続される第２電極部とが、回転部の回転中心に等しい回転中心にて回転可能に電気的に接続されている。このため、第１電極部と第２電極部との電気的な接続を維持しつつ回転部の回転中心にて配線コードに対するプラグ端子の向きを適宜変更することができる。よって、プラグ端子を接続するオーディオ機器の位置や形状に合わせてプラグ端子の向きを変更できるため、利用者の使い勝手を向上することができる。そして、前述した以外の課題、構成および効果は、以下の実施形態の説明より明らかにされる。
【図面の簡単な説明】
【００２３】
【図１】本考案の第１実施形態に係るプラグを示す図で、（ａ）は正面図、（ｂ）はその内部構造を示す概略図、（ｃ）はその回動状態を示す概略図、（ｄ）はその左側面図である。
【図２】上記プラグの内部構造を示す図で、（ａ）は接続部およびカバー部材の取り付け前の状態図、（ｂ）は接続部を取り付けた後の状態図、（ｃ）はカバー部材を取り付けた後の状態図である。
【図３】本考案の第２実施形態に係るプラグの内部構造を示す図で、（ａ）は概略図、（ｃ）はその回動状態を示す概略図、（ｄ）はその左側面図である。
【考案を実施するための形態】
【００２４】
［第１実施形態］
本考案の第１実施形態のプラグについて図１および図２を参照して説明する。図１は、本考案の第１実施形態に係るプラグを示す図で、（ａ）は正面図、（ｂ）はその内部構造を示す概略図、（ｃ）はその回動状態を示す概略図、（ｄ）はその左側面図である。図２は、プラグの内部構造を示す図で、（ａ）は接続部およびカバー部材の取り付け前の状態図、（ｂ）は接続部を取り付けた後の状態図、（ｃ）はカバー部材を取り付けた後の状態図である。
【００２５】
＜構成＞
本第１実施形態に係るプラグ１は、例えばエレキギターやアンプ等のオーディオ機器に接続されるもので、図１（ａ）に示すように、軸方向を有するプラグ端子としてのプラグピン２と、このプラグピン２の基端部に設けられ、配線コード３の端部が挿通される挿通部としての接続部であるキャップ材４と、このキャップ材４とプラグピン２との間に設けられたプラグ本体５と、キャップ材４にプラグピン２を取り付けた状態で、このプラグピン２側から挿入してキャップ材４に取り付け可能な略円筒状のカバー部材としての飾りスリーブ６とを備えた回転プラグである。
【００２６】
プラグピン２は、略細長円筒形状の接続端子であって、オーディオ機器等に設けられたソケット（図示せず）に挿入されることによって、オーディオ機器と電気的に接続され、オーディオ機器から出力された電気信号が入力され、または配線コード３側から入力された電気信号をオーディオ機器へ出力する。プラグピン２には、音声信号を伝送するために、２つの端子２ａ，２ｂが設けられている。
【００２７】
配線コード３は、２本の同軸ケーブル３ａ，３ｂが内包されたケーブルであり、一方の同軸ケーブル３ａの一端部がプラグ本体５に半田付けされプラグピン２に電気的に接続されている。配線コード３の他端部にもまた、プラグ１が取り付けられている。
【００２８】
キャップ材４は、略円筒状に形成されたキャップ本体４ａを備え、このキャップ本体４ａのプラグ本体５に接続される側である先端側の内周面に内ねじ４ｂが形成されている。また、キャップ本体４ａの基端側の中央部には、配線コード３を挿通させるための開口部４ｃが形成され、このキャップ本体４ａの基端側の外周部は、先端側より経大な円筒状の大径部４ｄが形成されている。この大径部４ｄより先端側であるプラグピン２側の部分が、この大径部４ｄの外径寸法より小さな外径寸法を有する円筒状の円筒部である縮径部４ｅとされ、この縮径部４ｅの大径部４ｄよりの位置の外周面に外周ねじ溝としての外ねじ４ｆが形成されている。
【００２９】
プラグ本体５は、プラグピン２をキャップ材４および配線コード３に対し回転可能とさせる回転部５ａと、プラグピン２を配線コード３に電気的に接続させる接続部５ｂとで構成されている。回転部５ａは、プラグピン２の軸方向を配線コード３の軸方向に対し略９０°屈曲可能とさせる。また、回転部５ａは、プラグピン２の基端部に接続されたプラグ側回転部５ｃと、キャップ材４に接続されるキャップ側回転部５ｄとで構成されている。プラグ側回転部５ｃは、プラグピン２の基端部に一体的に設けられた部分であって、両側面が平行かつ平坦な摺動面５ｅとされている。この摺動面５ｅ間には、プラグピン２の一方の端子２ａに電気的に接続された第１電極部５ｆが設けられている。
【００３０】
第１電極部５ｆは、図１（ｂ）ないし図１（ｄ）に示すように、キャップ側回転部５ｄに接続するための平板円環状の回転接続部５ｇと、この回転接続部５ｇに一端側が一体的に接続された支持部５ｈとで構成されている。回転接続部５ｇは、この回転接続部５ｇの軸方向（厚さ方向）を、摺動面５ｅの法線方向に沿わせた状態とされて、これら摺動面５ｅ間に取り付けられている。また、支持部５ｈは、他端側がプラグピン２の一方の端子２ａに電気的に接続されている。
【００３１】
次いで、キャップ側回転部５ｄは、本体部５ｊの両側に対向する一対の支持片５ｋが取り付けられた略コの字状に形成され、これら一対の支持片５ｋ間にプラグ側回転部５ｃの摺動面５ｅが嵌合されて取り付けられ、これら一対の支持片５ｋに取り付けられたピン材５ｍにて回転可能に固定されている。本体部５ｊの中央部には、一対の支持片５ｋ間に突出する第２電極部５ｎが設けられている。
【００３２】
第２電極部５ｎは、第１電極部５ｆに対しプラグピン２の回転方向に回転可能に取り付けられ、第１電極部５ｆの回転接続部５ｇに接続するための平板円環状の回転接続部５ｐと、この回転接続部５ｐに一端側が一体的に接続された支持部５ｑとで構成されている。回転接続部５ｐは、この回転接続部５ｐの軸方向（厚さ方向）を、支持片５ｋの法線方向に沿わせた状態とされて、これら支持片５ｋ間に取り付けられ、ピン材としての連結ピン５ｗを介して第１電極部５ｆに電気的かつ機械的に接続されている。連結ピン５ｗは、一対の支持片５ｋに取り付けられたピン材５ｍの回転中心に等しい回転中心を有し、プラグピン２に対するプラグ本体５の回転方向の同軸上に第１電極部５ｆと第２電極部５ｎとを回転可能とさせる。すなわち、第１電極部５ｆと第２電極部５ｎとは、プラグピン２に対するプラグ本体５の回転中心に等しい回転中心にて回転可能に電気的に接続されている。また、支持部５ｑは、絶縁性を有する円筒状のスリーブ材５ｒの中心部に挿通されて取り付けられ、このスリーブ材５ｒが本体部５ｊの中心部に嵌合されて取り付けられている。
【００３３】
また、接続部５ｂは、第２電極部５ｎに加え、キャップ側回転部５ｄの本体部５ｊの基端側に位置し、外周面にねじ溝５ｓが形成された係合部５ｔを備えている。ねじ溝５ｓは、キャップ材４の内ねじ４ｂにねじ止め可能に形成されている。すなわち、係合部５ｔは、キャップ材４の縮径部４ｅの内径寸法に等しい外径寸法に形成され、キャップ材４の先端側に挿入可能とされている。また、キャップ側回転部５ｄの本体部５ｊとスリーブ材５ｒとの間には、配線ケーブル３をかしめ固定して位置決めしつつ一方の同軸ケーブル３ａに電気的に接続させるための第１接続部５ｕが取り付けられている。第１接続部５ｕは、プラグ本体５を介してプラグピン２の一方の端子２ｂに電気的に接続されている。また、支持部５ｑの他端部には、配線ケーブル３の他方の同軸ケーブル３ｂが半田付けされて電気的に接続される第２接続部５ｖが一体的に設けられている。第２接続部５ｖは、支持部５ｑ、第２電極部５ｎ、連結ピン５ｗ、第１電極部５ｆ等を介してプラグピン２の他方の端子２ａに電気的に接続されている。
【００３４】
飾りスリーブ６は、キャップ材４の縮径部４ｅの外径寸法に等しい内径寸法を有するとともに、キャップ材４の経大部４ｄの外径寸法に略等しい外径寸法を有する略円筒状のスリーブ本体６ａを有している。スリーブ本体６ａは、キャップ材４の縮径部４ｅの長さ寸法に等しい長さ寸法に形成されている。スリーブ本体６ａの基端側の内周面には、キャップ材４の外ねじ４ｆにねじ止め固定させるための内周ねじ溝としての内ねじ６ｂが形成されている。スリープ本体６ａの外周面は、種々のデザインを付すことができるよう平坦な円筒面とされ表装部６ｃとされている。
【００３５】
＜調整動作＞
次に、上記第１実施形態のプラグ１の調整動作について、図１を参照して、より詳細に説明する。
【００３６】
まず、配線コード３の一端側に取り付けられたプラグ１のプラグピン２を、例えばアンプ等の所定の接続口（図示せず）に差し込んで電気的に接続してから、この配線コード３の他端側に取り付けられたプラグ１のプラグピン２を、例えばエレキギター等の所定の接続口（図示せず）に差し込んで電気的に接続させる。
【００３７】
このとき、図１（ａ）および図１（ｂ）に示す状態から、図１（ｃ）および図１（ｄ）に示すように、プラグ１のプラグピン２をプラグ本体５に対して回転させて屈曲させる場合には、例えば、このプラグ１の飾りスリーブ６等を押え、この飾りスリーブ６に対してプラグピン２を回転させる。
【００３８】
この場合には、プラグ本体５とプラグピン２とを固定しているピン材５ｍを回転中心として、プラグピン２がプラグ本体５に対して回転されて屈曲され、プラグピン２の端子２ａに電気的に接続されている第１電極部５ｆが、プラグ本体５の第２接続部５ｖに電気的に接続されている第２電極部５ｎに対し、電気的に接続された状態を維持しつつ摺動されて、プラグピン２が回動される。
【００３９】
したがって、プラグ１のプラグピン２のプラグ本体５に対する回転角（屈曲角）を調整することができる。すなわち、回転部５ａを用いて配線コード３に対するプラグピン２の向きを適宜変更できるから、このプラグピン２を接続するオーディオ機器の位置や形状に合わせてプラグピン２の向きを変更することができる。よって、利用者の使用用途等に対応させて調整でき、利用者の使い勝手を向上することができる。特に、プラグピン２の軸方向を配線コード３の軸方向に対して略９０°屈曲可能とさせたことにより、プラグピン２を接続するオーディオ機器の位置や形状に対応させて、配線ケーブル３に対するプラグピン２の向き変更することにより、ほとんどの需要に対応することができる。
【００４０】
＜組立動作＞
次に、上記第１実施形態のプラグ１の組立動作について、図２を参照して、より詳細に説明する。
【００４１】
まず、図２（ａ）に示すように、キャップ材４の大径部４ｄ側から、配線コード３の一端側を挿入し、この配線コード３の一端部を、プラグ本体５の第１接続部５ｕにて挟んでかしめ固定する。そして、この配線コード３の一方の同軸ケーブル３ａの端部を、プラグ本体５の第１接続部５ｕの中間部に半田付けして電気的かつ機械的に接続させる。また同時に、この配線コード３の他方の同軸ケーブル３ｂの端部を、プラグ本体５の第２接続部５ｖの端部に半田付けして電気的かつ機械的に接続させる。
【００４２】
この状態で、キャップ材４をプラグ本体５側に移動していき、図２（ｂ）に示すように、このキャップ材４の内ねじ４ｂを、プラグ本体５のねじ溝５ｓにねじ止めさせて固定させる。
【００４３】
次いで、飾りスリーブ６の内ねじ６ｂが設けられている側である基端側から、プラグピン２の先端側を挿入して、プラグピン２およびプラグ本体５を挿通させ、図２（ｃ）に示すように、飾りスリーブ６をキャップ材４に嵌合させ、この飾りスリーブ６の内ねじ６ｂをキャップ材４の外ねじ４ｆにねじ止めさせる。この結果、キャップ材４の縮径部４ｅの全体が飾りスリーブ６にて覆われる。
【００４４】
さらに、飾りスリーブ６を回転させて、この飾りスリーブ６の内ねじ６ｂによるキャップ材４の外ねじ４ｓへのねじ止めを外すことにより、図２（ｂ）に示すように、飾りスリーブ６をプラグピン２側へスライドさせて容易に取り外すことができる。
【００４５】
この結果、プラグ本体５に配線ケーブル３の端部を接続し、この配線ケーブル３の端部をキャップ材４にて覆いプラグ本体５にねじ止めさせた状態のまま、飾りスリーブ６の取り付けおよび取り外しを容易に行うことができる。よって、飾りスリーブ６をキャップ材４から取り外しても、キャップ材４がプラグ本体５に取り付けられ、このプラグ本体５に対する配線ケーブル３の電気的な接続箇所が露出しない。したがって、種々の異なるデザインおよび色彩が表装部６ｃに施された複数の飾りスリーブ６を予め用意しておくことにより、分解等することなく、利用者の希望に沿ったデザイン等の表装部６ｃを有する飾りスリーブ６に容易に交換することができるから、利用者の使い勝手を向上させることができる。
【００４６】
また、飾りスリーブ６をキャップ材４に取り付けることにより、このキャップ材４の縮径部４ｅに飾りスリーブ６を嵌合させて取り付けることができ、この縮径部４ｅの全体を飾りスリーブ６にて覆うことができるから、飾りスリーブ６をキャップ材４の縮径部４ｅに取り付けることにより、このキャップ材４の審美性を向上でき、利用者の使い勝手を向上できる。
【００４７】
さらに、飾りスリーブ６は、キャップ材４の大径部４ｄより先端側の縮径部４ｅのみに取り付けられるため、このキャップ材４の大径部４ｄを押えつつ飾りスリーブ６の取り付けおよび取り外しができるとともに、飾りスリーブ６の取り付け位置が明確になり、飾りスリーブ６の表装部６ｃのデザインを、キャップ材４の大径部４ｄの形状およびデザインを考慮したデザインとすることにより、キャップ材４の審美性をより向上でき、利用者の使い勝手を向上させることができる。
【００４８】
［第２実施形態］
図３は、本考案の第２実施形態に係るプラグの内部構造を示す図で、（ａ）は概略図、（ｃ）はその回動状態を示す概略図、（ｄ）はその左側面図である。本第２実施形態が前述した第１実施形態と異なるのは、第１実施形態は、第１電極部５ｆに対して第２電極部５ｎを回転させて電気的接続を維持したプラグ１に対し、第２実施形態は、第１電極部５ｆに対して第２電極部５ｎを摺動させて電気的接続を維持したスワン式のプラグ１Ａである。なお、本第２実施形態において、第１実施形態と同一又は対応する部分には同一符号を付している。
【００４９】
＜構成＞
本第２実施形態に係るプラグ１Ａは、プラグ側回転部５ｃと第１電極部５ｆとの間に、絶縁性の保持部材７が取り付けられて固定され、第１電極部５ｆが保持されている。第１電極部５ｆは、上述した第１実施形態より大きな厚さ寸法を有する構成とされており、第１電極部５ｆの円弧状の外周面が摺動部としての付勢摺動面８とされている。
【００５０】
一方、キャップ側回転部５ｄは、第２電極部５ｎがピン状とされており、この第２電極部５ｎの先端部を、第１電極部５ｆの付勢摺動面８に接触させた状態とされて取り付けられている。第２電極部５ｎの基端側には、導電性を有するコイル状の付勢部としての弾性部材９ａが同心状に取り付けられ、弾性部材９ａが有する弾性力にて第２電極部５ｎの先端部が第１電極部５ｆの付勢摺動面８に付勢された状態とされている。
【００５１】
弾性部材９ａは、スリーブ材５ｒ内に収容され、スリーブ材５ｒの基端側には、導電性を有するキャップ体９ｂが取り付けられて封止されている。キャップ体９ｂとスリーブ材５ｒとの間に第１接続部５ｕが取り付けられ、スリーブ材５ｒと係合部５ｔとの間に第２接続部５ｖが取り付けられている。
【００５２】
よって、第１接続部５ｕは、キャップ体９ｂ、弾性部材９ａ、第２電極部５ｎおよび第１電極部５ｆを介してプラグピン２の端子２ａに電気的に接続されている。また、第２接続部５ｖは、係合部５ｔ、本体部５ｊ、支持片５ｋおよび摺動面５ｅを介してプラグピン２の端子２ｂに電気的に接続されている。
【００５３】
＜調整動作＞
次に、上記第２実施形態のプラグ１Ａの調整動作について、図３を参照して、より詳細に説明する。
【００５４】
図３（ａ）に示す状態から、図３（ｂ）および図１（ｃ）に示すように、プラグピン２をプラグ本体５に対して回転させ屈曲させる場合には、上述した第１実施形態と同様に、ピン材５ｍを回転中心として、プラグピン２がプラグ本体５に対して回転されて屈曲される。
【００５５】
このとき、第１電極部５ｆの付勢摺動面８に対して第２電極部５ｎが弾性部材９ａにて付勢されているため、配線コード３に対するプラグピン２の回転に伴い、プラグピン２の端子２ａに電気的に接続されている第１電極部５ｆの付勢摺動面８に沿って、第２電極部５ｎの先端部が摺動していき、これら第１電極部５ｆと第２電極部５ｎとの電気的な接続が維持されつつ、プラグピン２が回転される。
【００５６】
よって、プラグピン２のプラグ本体５に対する回転角を、利用者の使用用途等に対応させて調整することができる。
【００５７】
＜組立動作＞
また、上述した第１実施形態と同様に、配線ケーブル３の端部をキャップ材４にて覆いプラグ本体５にねじ止めした状態のまま、飾りスリーブ６の交換ができるため、分解等することなく、利用者の好みに応じた表装部６ｃを有する飾りスリーブ６に容易に交換することができる。
【００５８】
［その他］
なお、本考案は前述した実施形態に限定されるものではなく、様々な変形態様が含まれる。例えば、前述した実施形態は、本考案を分りやすく説明するために説明したものであり、本考案は、必ずしも説明した全ての構成を備えるものに限定されるものではない。
【符号の説明】
【００５９】
１，１Ａ  プラグ
２      プラグピン（プラグ端子）
２ａ，２ｂ  端子
３      配線コード
３ａ，３ｂ  同軸ケーブル
４      キャップ材（接続部）
４ａ    キャップ本体
４ｂ    内ねじ
４ｃ    開口部
４ｄ    大径部
４ｅ    縮径部（円筒部）
４ｆ    外ねじ（外周ねじ溝）
５      プラグ本体
５ａ    回転部
５ｂ    接続部
５ｃ    プラグ側回転部
５ｄ    キャップ側回転部
５ｅ    摺動面
５ｆ    第１電極部
５ｇ    回転接続部
５ｈ    支持部
５ｊ    本体部
５ｋ    支持片
５ｍ    ピン材
５ｎ    第２電極部（電極部）
５ｐ    回転接続部
５ｑ    支持部
５ｒ    スリーブ材
５ｓ    ねじ溝
５ｔ    係合部
５ｕ    第１接続部
５ｖ    第２接続部
５ｗ    連結ピン（ピン材）
６      飾りスリーブ（カバー部材）
６ａ    スリーブ本体
６ｂ    内ねじ（内周ねじ溝）
６ｃ    表装部
７      保持部材
８      付勢摺動面（第１電極部，摺動部）
９ａ    弾性部材（付勢部）
９ｂ    キャップ体